(57)【要約】【課題】  従来の基本機能であるボールを保留する、ボールを撹拌して送り出す、送り出されたボールを打ち出す、この３つの性能を損なわず、さらには装置の大きさが辞書サイズで持ち運びに便利なコンパクトサイズであること、尚且つ板状の素材を重ねることで安易に製作できる投球装置を提供する。特にコンパクトにするには容積を必要とするボールをストックする保留部に問題がある。【解決手段】  ボールをストックする保留部は筒状で折りたたみが可能な素材にすることにより撹拌送り出し部の側面に収納できる方法で解決した。またボール撹拌部３に直径約６ｍｍの強力磁石１１が取り付けてあり、撹拌送り出し部の金属製のネジ部分に貼り付けて固定して使用することを特徴とする。  打ち出し部1、撹拌送り出し部２については、厚みの違う板状の材料を切り抜き加工して、複数枚を積み重ねることで立体形状にして尚且つコンパクトにした投球装置である。【選択図】図１
2016086942.tif 000002
【特許請求の範囲】
【請求項１】
打ち出し部１、撹拌送り出し部２、にボール保留部３を装着してなる投球装置において、打ち出し部１、撹拌送り出し部２は板状やシート状の素材を切り抜き加工して、それを重ねることによって立体形状の筐体を構築し、またボール保留部３は折りたたみ可能な素材を用い撹拌送り出し部２に収納ができて、尚且つ投球装置の機能は損なわれることなく必要最小限の大きさにしたことを特徴とする投球装置。
【請求項２】
打ち出し部１、撹拌送り出し部２に電源ケーブルと家庭用電源の交流１００Vを直流電源に変換する電気用具が収納できることを特徴とする投球装置。
【請求項３】
撹拌送り出し部２の底面に収納されている固定プレート７のカメラ雌ねじにて三脚に固定でき、さらにその上から投球装置本体を設置することを特徴とする投球装置。
【請求項４】
打ち出し部1の発射筒４はシートを切り抜いて丸めたことを特徴とする投球装置。
【発明の詳細な説明】
【技術分野】
【０００１】
本発明は、卓球の練習を行なう際に使用する投球機に関するものである。
【背景技術】
【０００２】
従来、投球装置で大きさ縦１９０ｍｍ横１２５ｍｍ厚さ５５ｍｍぐらいの辞書サイズほどのコンパクトなものは見当たらず、また、素材や厚みの違う板状やシート状の材料を切り抜き加工して、それを重ねることによって立体形状の筐体を構築したものも見当たらない。
様々装置はあるがボールを打ち出すという目的はすべて同じで、共通する主要な機能は、ボールをストックする保留部、ボールを撹拌して打ち出し部に送り出す撹拌送り出し部、そして打ち出し部の3つに大別できる。
特にボールをストックする保留部はバケツ形状になっていて、ほとんどが金属製か樹脂製でできており装置の中でもかなりの体積をしめている。
【先行技術文献】
【特許文献】
【０００３】
【特許文献１】登録実用新案第３０７１３４５号公報
【特許文献２】特開２００７−３４６号公報
【特許文献３】特開２００３−１７５１４２号公報
【特許文献４】特開平６−６３１９２号公報
【特許文献５】特開平５−４９７２１号公報
【特許文献６】特許公表２０１３−５０９２５３号公報
【非特許文献】
【０００４】
【非特許文献１】ニッタク社製  ロボットマシン「ロボッチャ」ＮＴ‐３０１７
【発明の概要】
【発明が解決しようとする課題】
【０００５】
従来の機能を損なわず、装置の大きさが辞書サイズで持ち運びに便利なコンパクトサイズであること、尚且つ板やシート素材を重ねることで安易に製作できる投球装置を提供する。
特にコンパクトにするには容積を必要とするボールをストックする保留部に問題がある。
【課題を解決するための手段】
【０００６】
ボールをストックするボール保留部３は筒状で折りたたみが可能な素材にすることにより、撹拌送り出し部の側面に収納できる方法で解決した。またボール保留部３に直径約６ｍｍの強力磁石１１が取り付けてあり、撹拌送り出し部の金属製のネジ部分に貼り付けて固定して使用することを特徴とする。
【０００７】
ボール保留部３は透明の素材、ビニール、ポリエチレン、ポリプロピレンなどの化成品がのぞましいが目の粗い布などでもよい。
【０００８】
ボール保留部３を折りたたみができる柔軟な素材にするとボールが詰まりやすくなるため、詰まり防止シート８を差し込むことで解決した。普段はボール保留部３を収納する蓋として機能する。
【０００９】
打ち出し部１、撹拌送り出し部２については、厚みの違う板状やシート状の材料を切り抜き加工して、複数枚を積み重ねることで立体形状にした投球装置である。
複数枚の板やシートは貫通した穴に長ネジとナットではさみ込み固定することを特徴とする。板やシートの材料は、アクリル板、スチレンボード、発泡スチロール、ダンボール、紙、ＭＤＦ、木材、ＰＰシート、鉄板、アルミ板、ステンレス板、建築用材の養生マットや断熱ボードなど板状で切り抜きできる素材が利用できる。
切り抜き加工方法はCO２レーザー加工、ＹＡＧレーザー加工、切削加工、熱電線によるカット、エアープラズマ切断加工、ガス溶断加工、打ち抜き加工でもよい。
【００１０】
固定プレート７は撹拌送り出し部２の底部に収納されており、等間隔に穴の開いた溝にプレートを差込み角度調整ができる。また、固定プレート７にカメラネジの穴が設けてあり三脚に取り付けができ、その上に投球装置をのせて固定できることを特徴とする。
【００１１】
家庭用電源ＡＣ１００ＶからＤＣ５Ｖに変換する電源コンセント６が打ち出し部の側面に収納できることを特徴とする。
【００１２】
撹拌送り出し部２の側面に電源の巻き取りコード９が収納できることを特徴とする。
【００１３】
制御基板１０で撹拌送り出し部２のモータースピードと打ち出し部１のモータースピードが調整できることを特徴とする。
【００１４】
発射筒４はシート状のものを切り抜き加工してそれを丸めて筒状にしていることを特徴とする。
【００１５】
打ち出し部１が３６０度回転することにより、上回転、下回転、横回転の変化したボールを投球できることを特徴とする。３６０度金属接点５は発射筒４を筒状に固定する役割と打ち出し部１がいずれの角度の時でも常時打ち出しモーターに電源供給する役割、さらには打ち出し部1と撹拌送り出し部２を固定する役割もかねていることを特徴とする。
【発明の効果】
【００１６】
ボールをストックする保留部、撹拌送り出し部、打ち出し部の機能を維持したまま、必要最小限の大きさにすることで、辞書サイズぐらいにコンパクトになり、安易に持ち運べる利点がある。ボール保留部３を折りたたみ収納できるだけでなく、透明素材を用いることでボールの残量が目視で安易にわかる利点がある。
固定プレート７単体で発射角度の調整ができるだけでなく、それを市販の三脚に取り付けてその上に投球装置を固定できることから任意の角度、高さ、位置を微調整でき、さらには卓球台上でない場所でも設置ができて自由度が広がる利点がある。
電気系パーツやネジとナット以外のほぼすべての筐体部分は、板状やシート状の素材を用いることで、切り抜き加工機一台で製作できることから少量で多品種の生産において、かなり安価に製作できる利点がある。さらには切り抜いた板を順番に重ねてネジとナットで挟みこむだけで筐体ができることから、安易に組み立てができ、さらには故障したときのメンテナンス性が向上する利点がある。
【図面の簡単な説明】
【００１７】
【図１】本発明の投球装置の全体図
【図２】本発明の投球装置の打ち出し部の分解図
【図３】本発明の投球装置の撹拌送り出し部の分解図
【図４】本発明の投球装置のボール保留部の図
【図５】本発明の投球装置の固定プレート単体使用時と三脚併用時の図
【発明を実施するための形態】
【００１８】
図1から図5は、本発明の実施例である。
電気系とネジとナット、ベアリング、磁石以外の筐体はCO２レーザー加工機で切り抜き加工した。
従来の機能を損なわずにコンパクトサイズでより簡易に製作できることを実現した。
【実施例】
【００１９】
図2は打ち出し部１の分解図で７枚の板と交わる支柱の板２枚とモーター部を挟み込み長ネジ４本で固定した。外側２枚と中心部、支柱はアクリル板で、それ以外はスチレンボードの発泡材を使用した。
モーター部はモーターとベアリング以外すべてアクリル板を使用した。
【００２０】
図3は撹拌送り出し部２の分解図で、板状の素材１１枚から構成されており、長ネジ４本で固定した。上から１枚目、７枚目、９枚目、１１枚目はアクリル板で、それ以外の中間層はすべてスチレンボードの発泡材を使用した。９枚目のアクリル板にモーター部と送り出し円盤を固定する。詰まり防止シート８は約０．７ｍｍのポリプロピレンシートを差し込む溝を設けた。
【００２１】
図４はボール保留部３で厚み約０．１ｍｍある厚手の透明ビニール筒で下部にはネオジウム強力磁石１１が４箇所溶着にて固定されている。撹拌送り出し部２の金属製ネジに磁力で固定でき、普段は撹拌送り出し部の側面に収納できる。
【００２２】
図5は固定プレート７を単体で使用した時と三脚を併用した時の図であり、固定プレート７にカメラの雌ネジを設けた。普段は撹拌送り出し部２の底部に収納できる。
【符号の説明】
【００２３】
１  …打ち出し部
２  …撹拌送り出し部
３  …ボール保留部(厚手ビニール)
４  …発射筒(ポリプロピレンシート)
５  …３６０度金属接点(アルミテープ)
６  …電源コンセント
７  …固定プレート
８  …詰まり防止シート(ポリプロピレンシート)
９  …電源の巻き取りコード
１０…制御基板
１１…強力磁石
【図５】
2016086942.tif 000003
【図１】
2016086942.tif 000004
【図２】
2016086942.tif 000005
【図３】
2016086942.tif 000006
【図４】
2016086942.tif 000007